(57)【要約】【課題】雑音抑制用コンデンサの消費電力の削減を含む構成回路全体の消費電力の抑制を行い且つ機器の低雑音化を行なった加熱調理器を提供すること。【解決手段】電源供給経路の途中に設けた電源スイッチ１６と、電源側電源供給経路間に設けたリレー１２とコンデンサ１３の直列接続体を備え、かつ電源スイッチ１６およびリレー１２にそれぞれ開閉検知回路１９、２０を設けたことにより、電源スイッチ１６の開閉に応じてリレー１２の開閉が可能となり、加熱手段１８の動作時などの必要な時のみコモンモードコイル１５とコンデンサ１３で構成されるフィルタ回路で雑音を抑えることができ、電源スイッチオフなどの場合にはフィルタ回路を切り離し、消費電力を抑えることができる。【選択図】  図１
2004327220.tif 000002
【特許請求の範囲】
【請求項１】
加熱手段と、加熱手段に電源を供給する電源供給経路と、前記電源供給経路の一方又は両方の途中に設けた第１のスイッチと、前記第１のスイッチより電源側の電源供給経路間に設けた第２のスイッチとコンデンサの直列接続体と、前記第２のスイッチの接点の開閉を検知する開閉検知手段とを備え、前記開閉検知手段は、前記第２のスイッチの接点の開閉状態が、開から閉または閉から開へ変化したことを検知する加熱調理器。
【請求項２】
加熱手段と、前記加熱手段の加熱設定を操作する操作手段と、前記操作手段からの信号に基づいて前記加熱手段の動作を制御する制御手段とを備え、前記制御手段は、前記加熱手段を駆動中に第２のスイッチの接点が開状態を検知すると加熱動作を加熱を停止する請求項１に記載の加熱調理器。
【請求項３】
第２のスイッチは加熱手段への通電状態に応じて開または閉とする請求項１または２に記載の加熱調理器。
【請求項４】
第２のスイッチは第１のスイッチの開閉状態に応じて開または閉とする請求項１〜３のいずれか１項に記載の加熱調理器。
【請求項５】
第２のスイッチの接点が開状態を検知する場合には、操作手段からの入力信号を無効とする請求項１〜４のいずれか１項に記載の加熱調理器。
【請求項６】
第２のスイッチの接点が閉状態を検知してから所定時間の間は操作手段からの入力信号を無効とする請求項１〜５のいずれか１項に記載の加熱調理器。
【請求項７】
開閉検知手段の検知結果を表示する表示手段を備えた請求項１〜６のいずれか１項に記載の加熱調理器。
【請求項８】
コンデンサの両端に放電抵抗を接続した請求項１〜７のいずれか１項に記載の加熱調理器。
【発明の詳細な説明】
【０００１】
【発明の属する技術分野】
本発明は、インバータなどの高周波雑音源を有し、電源線から機器外に漏洩する濾波回路の必要な加熱調理器に関する。
【０００２】
【従来の技術】
従来、この種の加熱調理器として、例えば、図２に示すような誘導加熱調理器がある（例えば、特許文献１参照）。図２において、１は商用電源、３は商用電源１を直流に変換し高周波の電源を発生させる高周波電源、２は高周波電源３に商用電源１を接続するスイッチ、４は高周波電源により誘導加熱を行う加熱コイル、５は商用電源を入力とする直流電源であり、６は直流電源から電源供給を受け、電源スイッチと高周波電源に信号を出力する制御回路である。
【０００３】
上記従来の加熱調理器の動作を以下に説明する。商用電源が供給されると、直流電源５は約５Ｖの出力電源を発生させ、その電源は制御回路６に供給される。制御回路６には使用者が容易に操作できる加熱入切スイッチ（図示せず）が設けられており、加熱入切スイッチを入にするとスイッチ２を閉とし高周波電源３に電源供給される。高周波電源５には加熱コイル４に高周波電流を流すか否かを制御する加熱駆動回路（図示せず）が設けられており、加熱入切スイッチの入によって、スイッチ２を閉した後、制御回路５からの入力で加熱コイル４に高周波電流を流す、すなわち加熱動作を開始する。
【０００４】
加熱動作中、加熱入切スイッチを切とすると、制御回路５からの入力で加熱コイル４への高周波電流供給を停止、すなわち加熱動作を停止した後、スイッチ２を開とし高周波電源３への電源供給を停止させる。
【０００５】
以上のように、加熱動作を行う直前に加熱に必要な高周波電源に電源供給し、加熱を行わない時は高周波電源に電源供給しない構成とすることで機器の消費電力を抑制できる。
【０００６】
【特許文献１】
特開平１１−２６０５４０号公報（第１図）
【０００７】
【発明が解決しようとする課題】
しかしながら、前記従来の技術では、直流電源５や制御回路６で電力消費しており、またコンデンサ７でも電力消費が現存する構成となっていた。
【０００８】
本発明は、雑音抑制用コンデンサの消費電力の削減を含む構成回路全体の消費電力の抑制を行い、かつ機器の低雑音化を行うことを課題とする。
【０００９】
【課題を解決するための手段】
前記従来の課題を解決するために、本発明の加熱調理器は、加熱手段と、加熱手段に電源を供給する電源供給経路と、前記電源供給経路の一方又は両方の途中に設けた第１のスイッチと、前記第１のスイッチより電源側の電源供給経路間に設けた第２のスイッチとコンデンサの直列接続体と、前記第２のスイッチの接点の開閉を検知する開閉検知手段とを備え、前記開閉検知手段は、前記第２のスイッチの接点の開閉状態を検知するようにしたものである。
【００１０】
これにより、第１のスイッチで高周波雑音抑制回路を除く全回路の消費電力を、第２のスイッチで高周波雑音抑制用コンデンサの消費電力を抑制することができ、かつ開閉検知手段からの入力信号によって第２のスイッチの開閉状態を検知することができ、高周波雑音抑制とコンデンサの消費電力を抑制することを確実に動作させることのできる加熱調理器が得られる。
【００１１】
【発明の実施の形態】
請求項１に記載の発明は、加熱手段と、加熱手段に電源を供給する電源供給経路と、前記電源供給経路の一方又は両方の途中に設けた第１のスイッチと、前記第１のスイッチより電源側の電源供給経路間に設けた第２のスイッチとコンデンサの直列接続体と、前記第２のスイッチの接点の開閉を検知する開閉検知手段とを備え、前記開閉検知手段は、前記第２のスイッチの接点の開閉状態が、開から閉または閉から開へ変化したことを検知する構成とするものである。これにより第１のスイッチで高周波雑音抑制回路を除く全回路の消費電力を、第２のスイッチで高周波雑音抑制用コンデンサの消費電力を抑制することができ、かつ開閉検知手段からの入力信号によって第２のスイッチの開閉状態を検知することができ、高周波雑音抑制とコンデンサの消費電力を抑制することを確実に動作させることができる、これにより前記第２のスイッチの接点の閉が不完全なときには、加熱動作を停止させ、誤って高周波雑音を外部に放出することはない。
【００１２】
請求項２に記載の発明は、加熱手段と、前記加熱手段の加熱設定を操作する操作手段と、前記操作手段からの信号に基づいて前記加熱手段の動作を制御する制御手段とを備え、前記制御手段は、前記加熱手段を駆動中に第２のスイッチの接点が開状態を検知すると加熱動作を加熱を停止する構成とするものである。これにより、高周波雑音が大きくなると予想される加熱動作中に第２のスイッチが開となりコンデンサが非接続の場合には加熱動作を加熱を停止することにより、電源供給経路から電源に漏洩する高周波雑音を低減することができる。
【００１３】
請求項３に記載の発明は、第２のスイッチは加熱手段への通電状態に応じて開または閉とする構成とするものである。これにより、加熱動作中には第２のスイッチを閉としコンデンサを接続することにより電源供給経路から電源に漏洩する高周波雑音を低減するとともに、高周波雑音が小さい場合には開としコンデンサを非接続とすることにより待機電力を節約することができる。また、第２のスイッチを閉とする機会を減じて、第２のスイッチの駆動に要する消費電力を節約することができる。
【００１４】
請求項４に記載の発明は、第２のスイッチは第１のスイッチの開閉状態に応じて開または閉とする構成とするものである。これにより、第１のスイッチの開閉に関連して、雑音が発生する可能性がある場合には、雑音を低減すべく第２のスイッチを閉としコンデンサを接続して待機することができるとともに、第１のスイッチを開にしない限りコンデンサは電源線間に接続されるので雑音の低減作用を安定して得ることができる。また、第１のスイッチが開となり雑音を低減する必要のない場合には適宜第２のスイッチを開としコンデンサを非接続とすることにより待機電力を節約することができる。
【００１５】
請求項５に記載の発明は、第２のスイッチの接点が開状態を検知する場合には、操作手段からの入力信号を無効とする構成とするものである。これにより、第２のスイッチが開状態でコンデンサが非接続の場合に加熱動作へ移行することがなくなり、電源供給経路から電源に漏洩する高周波雑音を低減することができる。
【００１６】
請求項６記載の発明は、第２のスイッチの接点が閉状態を検知してから所定時間の間は操作手段からの入力信号を無効とする構成とするものである。これにより、第２のスイッチの閉直後のチャタリング期間中に加熱動作へ移行することがなくなり、電源供給経路から電源に漏洩する高周波雑音を低減することができる。
【００１７】
請求項７記載の発明は、開閉検知手段の検知結果を表示する表示手段を備えた構成とするものである。これにより、第２のスイッチの開閉を使用者が容易に識別することができ、第２のスイッチの開時に加熱操作を無効としても違和感を感じることなく、調理器の操作性を向上させることができる。
【００１８】
請求項８記載の発明は、コンデンサの両端に放電抵抗を接続する構成とするものである。これにより、第１のスイッチが開で、かつ第２のスイッチが閉の場合において入力端子が電源から切り離されたときに、コンデンサに蓄積された電荷を放電することができるので、入力端子に触れて感電するのを防止することができるとともに、基板交換などの補修作業の際に基板に触れて感電するのを防止することができる。
【００１９】
【実施例】
以下本発明の実施例について、図面を参照しながら説明する。図１は高周波磁界で被加熱鍋等を加熱するための誘導加熱コイルを有する誘導加熱調理器の回路ブロック図である。
【００２０】
図１において、商用電源１０は入力端子１１ａと他の入力端子である１１ｂを介して誘導加熱調理器に接続される。入力端子１１ａには、コモンモードコイル１５を介して使用者が容易に操作できる第１のスイッチである電源スイッチ１６に接続され、電源スイッチ１６の負荷側接点には、全波整流回路であるダイオードブリッジ１７及び電源スイッチ開閉検知手段１９に接続される。入力端子１１ｂには、コモンモードコイル１５を介してダイオードブリッジ１７が接続される。前記構成によりダイオードブリッジ１７に電源が供給され、ダイオードブリッジ１７からの出力を加熱手段１８に供給する。
【００２１】
また、入力端子２６ａと入力端子２６ｂとの間には、第２のスイッチであるリレー１２の接点とコンデンサ１３の直列接続体が接続される。１４はコンデンサ１３に並列接続された放電抵抗、２０はリレー１２の開閉検知手段である。
【００２２】
さらに、電源スイッチ１６の負荷側接点には制御電源２５が接続され、制御手段２１は制御電源２５より電源供給を受ける。機器の操作手段２２には、使用者が容易に操作できる加熱スイッチ２３およびリレー１２の開閉検知手段２０の検知結果に基づいてリレー１２の開閉状態を表示する表示器２４が備えられている。制御手段２１と操作手段２２は互いに通信を行い、かつ制御手段２１はリレー１２を制御するし、また、電源スイッチ開閉検知手段１９およびリレー開閉検知手段２０からの信号入力に応じて機器の動作を制御する。
【００２３】
以上のように構成された加熱調理器についてその動作を説明する。商用電源１０が入力端子１１ａ、１１ｂに接続されても、制御電源２５、制御手段２１、操作手段２２には電源供給されない。電源スイッチ１６を閉とすることにより、制御電源２５に電源供給され、制御手段２１および操作手段２２は制御電源２５の約５Ｖの出力により動作を開始する。動作を開始すると、制御手段２１は操作手段２２と互いに通信し、かつ電源スイッチ１６開閉検知手段１９およびリレー１２開閉検知回路２０からの入力信号に基づき、以降の機器の動作を制御する。
【００２４】
加熱スイッチ２３により加熱開始が選択されると、制御手段２１は加熱手段１８をオンし、加熱動作を開始させる。加熱動作を開始すると制御手段２１はファンモータ（図示せず）を動作させ、加熱手段１８を冷却する。
【００２５】
リレー１２は、制御手段２１により制御され、電源スイッチ１６が閉となった後で且つ前述した加熱動作前のタイミングで閉となり、コンデンサ１３とコモンモードチョークコイル１５で形成されるフィルタ回路で加熱手段１８から伝播する雑音を抑制する。
【００２６】
加熱手段１８が動作中にリレー１２の接点が開となり、リレー１２開閉検知手段２０から制御手段２１に信号入力されると、制御手段２１は加熱動作を停止し、初期モードに移行する。さらに、制御手段２１はリレー１２が開であることを操作手段２２に送信し、操作手段２２は表示器２４を点灯させる。制御手段２１は、リレー１２開閉検知手段２０からリレー２０の開状態を検知している間は、操作手段２２から加熱スイッチ２３による加熱開始信号を受け付けない。
【００２７】
リレー１２開閉検知手段２０から制御手段２１にリレー閉状態を示す信号が入力されると、制御手段２１は所定時間経過後に操作手段２２から加熱スイッチ２３による加熱開始信号の受付可能状態となる。さらに、制御手段２１はリレー１２が閉であることを操作手段２２に送信し、操作手段２２は表示器２４を消灯させる。
【００２８】
以上のように本実施例によれば、加熱手段１８に電源電流あるいは電圧を供給する電源供給経路（入力端子１１ａからダイオードブリッジ１７に至る電源供給経路）の途中に、第１のスイッチである電源スイッチ１６を設け、電源スイッチ１６よりも電源側の極性の異なる電源供給経路間に第２のスイッチであるリレー１２とコンデンサ１３の直列接続体を接続したので、電源スイッチ１６を開とすることにより、加熱手段１８による加熱動作を確実に停止することができる。
【００２９】
また、電源スイッチ１６およびリレー１２にそれぞれ開閉検知回路１９、２０を設けたことにより、電源スイッチ１６の開閉に応じてリレー１２の開閉が可能となった。すなわち、電源供給経路間のコンデンサ１３とリレー１２の直列接続体を電源スイッチ１６のオン直後に接続し、オフ直後に切り離すことで、加熱手段１８の動作時などの必要な時のみ、コモンモードコイル１５とコンデンサ１３で構成されるフィルタ回路で雑音を抑えることができ、電源スイッチオフなどの場合にはフィルタ回路を切り離し、消費電力を抑えることができる。
【００３０】
また、加熱手段１８が動作中にリレー１２の接点が開となると、制御手段２１は加熱動作を停止し初期モードに移行することで、雑音を最小限に抑えることができる。
【００３１】
また、制御手段２１がリレー１２開閉検知手段２０からリレー２０の開状態を検知している間は、操作手段２２から加熱スイッチ２３による加熱開始信号を受け付けないので、リレーの閉状態を検知するまで再加熱することがなく、雑音を最小限に抑えることができる。
【００３２】
また、制御手段２１はリレー１２の閉状態を検知し、所定時間経過後に操作手段２２から加熱スイッチ２３による加熱開始信号の受付可能状態となるので、リレー１２のチャタリングによるフィルタ回路が切り離された状態での加熱動作がなくなり、雑音を抑えることができる。
【００３３】
また、表示器２４の表示を変更することにより、リレー１２の開閉を使用者が容易に識別することができ、リレー１２の開時に加熱操作を無効としても違和感を感じることなく、調理器の操作性を向上させることができる。
【００３４】
また、コンデンサ１３の両端に放電抵抗１４を接続したことにより、電源スイッチ１６が開で、かつリレー１２が閉の場合において、入力端子が電源から切り離されたときに、コンデンサ１３に蓄積された電荷を放電することができるので、入力端子に触れて感電するのを防止することができる。
【００３５】
また、本発明では、第１スイッチである電源スイッチ１６が開から閉となった後、第２スイッチであるリレー１２を開から閉とし、電源スイッチ１６が閉から開となった後、リレー１２を閉から開とするとして説明したが、リレー１２の加熱コイルへの通電状態に応じた動作、すなわち加熱動作中は閉、加熱停止中は開とすれば、必要に応じた雑音の低減ができるとともに、リレー１２を閉とする機会を減じて、リレー１２の駆動に要する消費電力を抑制できる。
【００３６】
【発明の効果】
以上のように、本発明によれば、雑音抑制用コンデンサの消費電力の削減を含む構成回路全体の消費電力の抑制を行い且つ機器の低雑音化の切り替える動作を確実に行うことができる。
【図面の簡単な説明】
【図１】本発明の実施例における加熱調理器の回路ブロック図
【図２】従来の加熱調理器における回路ブロック図
【符号の説明】
１０  商用電源
１１  入力端子（電源供給経路）
１２  リレー（第２のスイッチ）
１３  コンデンサ
１４  放電抵抗
１５  コモンモードチョークコイル（電源供給経路）
１６  電源スイッチ（第１のスイッチ）
１８  加熱手段
１９  電源スイッチ開閉検知手段
２０  リレー開閉検知手段
２１  制御手段
【図１】
2004327220.tif 000003
【図２】
2004327220.tif 000004